(57)【要約】【課題】作業者が倉庫内等において無駄な動きをすることなく作業を可能にする技術を提供することを目的とする。【解決手段】表示部を有する携帯端末装置であって、配置場所を識別する配置場所識別情報と配置場所に関する対象物を識別する対象物識別情報とを含む対象物の処理一覧を取得する取得手段と、取得手段により取得された対象物の処理一覧を表示部に表示する表示手段と、配置場所を識別する配置場所識別情報を含む信号を、無線通信を介して受信する受信手段と、を有し、表示手段は、受信手段により受信された信号に基づいて、対象物の処理一覧に含まれる対象物のうち携帯端末装置と距離が最も近い配置場所の対象物が対象物の処理一覧の先頭に表示されるよう制御する。【選択図】図４
2018116533.tif 000002
【特許請求の範囲】
【請求項１】
表示部を有する携帯端末装置であって、
配置場所を識別する配置場所識別情報と前記配置場所に関する対象物を識別する対象物識別情報とを含む対象物の処理一覧を取得する取得手段と、
前記取得手段により取得された前記対象物の処理一覧を前記表示部に表示する表示手段と、
配置場所を識別する配置場所識別情報を含む信号を、無線通信を介して受信する受信手段と、
を有し、
前記表示手段は、前記受信手段により受信された前記信号に基づいて、前記対象物の処理一覧に含まれる対象物のうち前記携帯端末装置と距離が最も近い配置場所の対象物が前記対象物の処理一覧の先頭に表示されるよう制御する携帯端末装置。
【請求項２】
前記対象物の処理一覧には、前記対象物の個数が更に含まれ、
前記表示手段は、前記対象物の処理一覧に含まれる対象物のうち前記携帯端末装置と距離が最も近い配置場所の対象物の前記対象物識別情報と前記個数とが前記対象物の処理一覧の先頭に表示されるよう制御する請求項１記載の携帯端末装置。
【請求項３】
前記対象物の処理一覧には、前記対象物の画像が更に含まれ、
前記表示手段は、前記対象物の処理一覧に含まれる対象物のうち前記携帯端末装置と距離が最も近い配置場所の対象物の前記対象物識別情報と前記個数と前記対象物の画像とが前記対象物の処理一覧の先頭に表示されるよう制御する請求項２記載の携帯端末装置。
【請求項４】
前記取得手段は、ログインしているユーザの未処理の対象物に関する前記対象物の処理一覧を取得する請求項１乃至３何れか１項記載の携帯端末装置。
【請求項５】
前記対象物の処理一覧に含まれる対象物の処理が完了したか否かを判定する判定手段を更に有し、
前記表示手段は、前記対象物の処理一覧のうち前記判定手段により処理が完了したと判定された対象物以外の対象物の処理一覧を前記表示部に表示する請求項１乃至４何れか１項記載の携帯端末装置。
【請求項６】
前記携帯端末装置と最も近い配置場所との距離が閾値以上になった場合で、かつ、前記対象物の処理一覧のうち前記配置場所に関する対象物の中で未処理の対象物がある場合、前記表示手段は、警告情報を前記表示部に表示する請求項１乃至５何れか１項記載の携帯端末装置。
【請求項７】
前記受信手段は、配置場所ごとに設置された無線通信機より、それぞれの配置場所を識別する配置場所識別情報を含む信号を、無線通信を介して受信する請求項１乃至６何れか１項記載の携帯端末装置。
【請求項８】
前記対象物の処理一覧は、ピッキングリストである請求項１乃至７何れか１項記載の携帯端末装置。
【請求項９】
表示部を有する携帯端末装置であって、
配置場所を識別する配置場所識別情報と前記配置場所に関する対象物を識別する対象物識別情報とを含む対象物の処理一覧を取得する取得手段と、
配置場所を識別する配置場所識別情報を含む信号を、無線通信を介して受信する受信手段と、
前記受信手段により受信された前記信号に基づいて、前記対象物の処理一覧に含まれる対象物のうち前記携帯端末装置と距離が最も近い配置場所の対象物の一覧が前記表示部に表示されるよう制御する表示手段と、
を有する携帯端末装置。
【請求項１０】
表示部を有する携帯端末装置と、複数の配置場所のそれぞれに設置されたそれぞれの配置場所を識別する配置場所識別情報を発信する発信装置と、を含むシステムであって、
前記携帯端末装置は、
配置場所を識別する配置場所識別情報と前記配置場所に関する対象物を識別する対象物識別情報とを含む処理一覧を取得する取得手段と、
前記取得手段により取得された前記対象物の処理一覧を前記表示部に表示する表示手段と、
配置場所を識別する配置場所識別情報を含む信号を、無線通信を介して前記発信装置より受信する受信手段と、
を有し、
前記表示手段は、前記受信手段により受信された前記信号に基づいて、前記対象物の処理一覧に含まれる対象物のうち前記携帯端末装置と距離が最も近い配置場所の対象物が前記対象物の処理一覧の先頭に表示されるよう制御するシステム。
【請求項１１】
表示部を有する携帯端末装置が実行する情報処理方法であって、
配置場所を識別する配置場所識別情報と前記配置場所に関する対象物を識別する対象物識別情報とを含む処理一覧を取得する取得ステップと、
前記取得ステップにより取得された前記対象物の処理一覧を前記表示部に表示する表示ステップと、
配置場所を識別する配置場所識別情報を含む信号を、無線通信を介して受信する受信ステップと、
を含み、
前記表示ステップでは、前記受信ステップにより受信された前記信号に基づいて、前記対象物の処理一覧に含まれる対象物のうち前記携帯端末装置と距離が最も近い配置場所の対象物が前記対象物の処理一覧の先頭に表示されるよう制御する情報処理方法。
【請求項１２】
表示部を有する携帯端末装置が実行する情報処理方法であって、
配置場所を識別する配置場所識別情報と前記配置場所に関する対象物を識別する対象物識別情報とを含む対象物の処理一覧を取得する取得ステップと、
配置場所を識別する配置場所識別情報を含む信号を、無線通信を介して受信する受信ステップと、
前記受信ステップにより受信された前記信号に基づいて、前記対象物の処理一覧に含まれる対象物のうち前記携帯端末装置と距離が最も近い配置場所の対象物の一覧が前記表示部に表示されるよう制御する表示ステップと、
を含む情報処理方法。
【請求項１３】
コンピュータを、請求項１乃至９何れか１項記載の携帯端末装置の各手段として機能させるためのプログラム。
【発明の詳細な説明】
【技術分野】
【０００１】
本発明は、携帯端末装置、システム、情報処理方法及びプログラムに関する。
【背景技術】
【０００２】
物流の現場、例えば倉庫等では、ピッキング（出荷）作業・納入（入荷）作業・対象物の移動、また在庫数等の確認（棚卸）作業（以下、説明簡素化のため特に言及しない限り“ピッキング”という）では、ピッキングリストを使って作業者が倉庫内を移動してピックすべき対象物が格納されている棚に向い、対象の商品を探している。
しかしながら現場に慣れていない作業者（新人、アルバイト等）だと倉庫内の対象棚を特定するだけでも時間を要してしまい効率がよくない。
そのような課題に対し特許文献１では、パレットに受信機を設置しておき、サーバからピッキングリストを受信して記憶している端末（ハンディーターミナル）で操作ボタンを押すと無線信号が発信され、該当するパレットに設置された受信機が光ると共に、その受信機にピックすべき個数が表示されるようにした技術が提案されている。
【先行技術文献】
【特許文献】
【０００３】
【特許文献１】特開平０３−１１１３０８号公報
【発明の概要】
【発明が解決しようとする課題】
【０００４】
しかし、特許文献１記載の方法では、倉庫が広かったり、障害物が多かったりすると光っているパレットの受信機を探す必要があり、作業者が無駄な動きをする必要がある。
【課題を解決するための手段】
【０００５】
本発明は、表示部を有する携帯端末装置であって、配置場所を識別する配置場所識別情報と前記配置場所に関する対象物を識別する対象物識別情報とを含む対象物の処理一覧を取得する取得手段と、前記取得手段により取得された前記対象物の処理一覧を前記表示部に表示する表示手段と、配置場所を識別する配置場所識別情報を含む信号を、無線通信を介して受信する受信手段と、を有し、前記表示手段は、前記受信手段により受信された前記信号に基づいて、前記対象物の処理一覧に含まれる対象物のうち前記携帯端末装置と距離が最も近い配置場所の対象物が前記対象物の処理一覧の先頭に表示されるよう制御する。
【発明の効果】
【０００６】
本発明によれば、作業者が倉庫内等において無駄な動きをすることなく作業を可能にする技術を提供することができる。
【図面の簡単な説明】
【０００７】
【図１】情報処理システムのシステム構成の一例を示す図である。
【図２】携帯端末のハードウェア構成の一例を示す図である。
【図３】携帯端末のソフトウェア構成の一例を示す図である。
【図４】実施形態１のメインの情報処理の一例を示すフローチャートである。
【図５】ピッキングリストの一例を示す図である。
【図６】表示入力部に表示されたピッキングリストの一例を示す図である。
【図７】ピッキング完了処理の一例を示すフローチャートである。
【図８】一次元コード又は二次元コードを読み取るための画面の一例を示す図である。
【図９】警告処理の一例を示すフローチャートである。
【図１０】表示入力部に表示された警告情報の一例を示す図である。
【図１１】ログインユーザごとのピッキングリストの一例を示す図である。
【発明を実施するための形態】
【０００８】
以下、本発明の実施形態について図面に基づいて説明する。
【０００９】
＜実施形態１＞
図１は、情報処理システムのシステム構成の一例を示す図である。図１に示されるように、情報処理システムは、サーバ２００と、携帯端末１００と、複数の棚（棚１０1、棚１０2、棚１０3等）のそれぞれに設置されている複数のＩＤ発信機（ＩＤ発信機１１1、ＩＤ発信機１１2、ＩＤ発信機１１3等）を含む。図１のシステム構成は一例であり、棚は３つに限られないし、情報処理システムに含まれる携帯端末１００も１台に限られない。倉庫等での複数の作業者がそれぞれ携帯端末１００を携帯してしてもよい。ここで、ＩＤ発信機１１の一例は、ビーコン端末等である。以下では、説明の簡略化のため、ＩＤ発信機１１のそれぞれは、設置されている棚を識別する棚ＩＤを含むビーコン信号を発信するものとして説明を行う。ＩＤ発信機は、無線通信機の一例である。
作業者は携帯端末１００を操作し、未処理のピッキング対象の商品と商品が置かれている棚を識別する棚ＩＤとが関連付けられ、一覧となっているピッキングリストをサーバ２００から取得する。携帯端末１００は、ピッキングリストを取得するとディスプレイに表示する。そして、携帯端末１００は、最寄りの棚に設置されているＩＤ発信機１１よりビーコン信号を受信する。携帯端末１００は、ビーコン信号に含まれる棚ＩＤに基づきピッキングリストに含まれる商品表示の並び替えを行う。より具体的に説明すると、携帯端末１００は、ピッキングリストに含まれる棚ＩＤのうち、ビーコン信号に含まれる棚ＩＤと同一の棚ＩＤと関連付けられている商品を最寄りの棚からピッキングすべき商品としてピッキングリストの先頭に表示する。
このようにすることにより、作業者は、携帯端末１００を携帯し、倉庫内の棚に近づくだけで、その棚でピッキングすべき商品がピッキングリストの先頭に表示されるので、無駄な動作を行うことなく、効率的にピッキングを行うことができる。
以下、本実施形態の処理等をより具体的に説明する。
【００１０】
図２は、携帯端末１００のハードウェア構成の一例を示す図である。図２に示されるように、携帯端末１００は、ハードウェア構成として、ＣＰＵ１０１と、メモリ１０２と、表示入力部１０３と、通信Ｉ／Ｆ１０４と、通信Ｉ／Ｆ１０５と、を含む。
ＣＰＵ１０１は、携帯端末１００の全体を制御する。メモリ１０２は、プログラム、サーバ２００から取得したピッキングリスト、ＣＰＵ１０１が処理を実行する際に必要なデータ等を記憶する。表示入力部１０３は、タッチパネル等のディスプレイであって、ＣＰＵ１０１からの制御に基づき、ピッキングリスト等を表示したり、操作者の操作情報を入力したりする。通信Ｉ／Ｆ１０４は、携帯端末１００とサーバ２００との通信を制御する通信インターフェースである。本実施形態では、携帯端末１００とサーバ２００とはＷｉ−Ｆｉ等の無線通信を介して通信を行うものとするが、有線通信で行ってもよい。受信Ｉ／Ｆ１０５は、ＩＤ発信機１１が発信するＢｌｕｅｔｏｏｔｈ（登録商標）のビーコン信号を受信するインターフェースである。
ＣＰＵ１０１が、メモリ１０２に記憶されたプログラムに基づき処理を実行することにより、後述する図３の携帯端末１００のソフトウェア構成及び後述する図４、図７、図９等のフローチャートの処理が実現される。携帯端末１００は、コンピュータの一例である。メモリ１０２は、例えば、ＲＡＭ、ＲＯＭ等である。メモリ１０２に、ＳＤカード等の記録媒体が含まれていてもよい。
図２は、携帯端末１００のハードウェア構成の一例である。後述するように、例えば、ピッキング完了処理の際に、ピッキングした商品に付されている一次元コード又は二次元コードを読み取る構成の場合、携帯端末１００は、ハードウェア構成として、一次元コード又は二次元コードを撮影するカメラを含む。商品を特定する為の情報は一次元コード及び二次元コードに限らず、文字情報、又は商品形態そのものであってもよい。
また、サーバ２００もハードウェア構成としてＣＰＵ、メモリ、通信Ｉ／Ｆを有し、サーバ２００のＣＰＵがサーバ２００のメモリに記憶されているプログラムに基づき処理を実行することによりサーバ２００の機能が実現される。
【００１１】
図３は、携帯端末１００のソフトウェア構成の一例を示す図である。図３に示されるように、携帯端末１００は、ソフトウェア構成として、送受信部２０１と、表示制御部２０２と、受信部２０３と、受付部２０４と、を含む。
送受信部２０１は、未処理のピッキング対象の商品を含むピッキングリストの取得要求をサーバ２００に対して送信し、ピッキングリストをサーバ２００より受信する。
表示制御部２０２は、サーバ２００より受信したピッキングリストを表示入力部１０３に表示する。
受信部２０３は、ＩＤ発信機１１が発信するビーコン信号を受信する。受信部２０３は、複数のＩＤ発信機１１からそれぞれビーコン信号を受信してもよいし、一つのＩＤ発信機１１からビーコン信号を受信してもよい。
表示制御部２０２は、受信部２０３が一つのビーコン信号を受信した場合、ピッキングリストに含まれる棚ＩＤのうち、ビーコン信号に含まれる棚ＩＤと同一の棚ＩＤと関連付けられている商品をピッキングリストの先頭に表示する。また、表示制御部２０２は、受信部２０３が複数のビーコン信号を受信した場合、複数のビーコン信号の電波強度、又は電波の減衰率に基づき、それぞれのビーコン信号に含まれる棚ＩＤが示す棚との距離を求めるようにしてもよい。そして、表示制御部２０２は、携帯端末１００から距離が近い棚の商品から順にピッキングリストの先頭から表示するようにしてもよい。
受付部２０４は、表示入力部１０３等を介して入力されたピッキング完了の操作を受け付ける。
【００１２】
以下、実施形態１の情報処理を説明する。以下では、説明の簡略化のため、ＣＰＵ１０１が処理を行うものとして説明を行う。
図４は、実施形態１のメインの情報処理の一例を示すフローチャートである。
Ｓ１０において、ＣＰＵ１０１は、未処理のピッキング対象の商品を含むピッキングリストの取得要求をサーバ２００に対して送信し、ピッキングリストをサーバ２００より受信する。
図５は、ピッキングリストの一例を示す図である。ピッキングリストは、項目として、棚を識別する棚ＩＤと、商品を識別する商品ＩＤと、商品の個数とを含む。棚ＩＤは、配置場所識別情報の一例である。商品ＩＤは、対象物識別情報の一例である。ピッキングリストは、対象物の処理一覧の一例である。
Ｓ１１において、ＣＰＵ１０１は、Ｓ１０で取得したピッキングリストを表示入力部１０３に表示する。図６の（Ａ）は、表示入力部１０３に表示されたピッキングリストの一例を示す図である。ここで、図５に示す項目以外に、例えば、商品の画像等をピッキングリストに含めるようにしてもよい。ピッキングリストに商品の画像が含まれる場合、表示入力部１０３に表示されたピッキングリストに商品の画像も含まれるため、作業者は、ピッキング対象の商品をより正確に把握することができる。
Ｓ１２において、ＣＰＵ１０１は、ビーコン信号を受信したか否かを判定する。ＣＰＵ１０１は、ビーコン信号を少なくとも一つ以上受信したと判定すると（Ｓ１２においてＹＥＳ）、Ｓ１３に進み、ビーコン信号を一つも受信していないと判定すると（Ｓ１２においてＮＯ）、Ｓ１１に戻る。
【００１３】
Ｓ１３において、ＣＰＵ１０１は、ピッキングリストの並び替えを行うか否かを判定する。ＣＰＵ１０１は、ピッキングリストの並び替えを行うと判定すると（Ｓ１３においてＹＥＳ）、Ｓ１４に進み、ピッキングリストの並び替えを行わないと判定すると（Ｓ１３においてＮＯ）、Ｓ１１に戻る。例えば、ＣＰＵ１０１は、ビーコン信号を一つ受信した場合において、受信したビーコン信号に含まれる棚ＩＤの商品が既にピッキングリストの先頭から順に表示されている場合は、並び替えを行わないと判定する。一方、ＣＰＵ１０１は、ビーコン信号を一つ受信した場合において、受信したビーコン信号に含まれる棚ＩＤの商品がピッキングリストの先頭から順に表示されていない場合は、並び替えを行うと判定する。
Ｓ１４において、ＣＰＵ１０１は、ピッキングリストの並び替えを行う。例えば、ＣＰＵ１０１は、ビーコン信号を一つ受信した場合において、受信したビーコン信号に含まれる棚ＩＤの商品がピッキングリストの先頭から順に表示されるようにピッキングリストの並び替えを行う。そして、ＣＰＵ１０１は、Ｓ１１に戻り、並び替えたピッキングリストを表示する。図６の（Ｂ）は、並び替えたピッキングリストの一例を示す図である。例えば、作業者が図１の棚００３の近くに来た場合、ピッキングリストの先頭には棚ＩＤ００３に置かれている商品の商品ＩＤ及び個数等がピッキングリストの先頭に表示される。このようにすることによって、作業者は、現在自分がいる場所の棚からピッキングすべき商品をすぐに特定し、ピッキングすることができる。更に、ＣＰＵ１０１は、ビーコン信号を複数受信した場合においては、複数のビーコン信号の電波強度、又は電波の減衰率に基づき、それぞれのビーコン信号に含まれる棚ＩＤが示す棚との距離が近い棚の商品から順にピッキングリストの先頭から表示するようにしてもよい。
【００１４】
図７は、ピッキング完了処理の一例を示すフローチャートである。
Ｓ２０において、ＣＰＵ１０１は、ピッキングが完了したか否かを判定する。ＣＰＵ１０１は、ピッキングが完了したと判定すると（Ｓ２０においてＹＥＳ）、Ｓ２１に進み、ピッキングが完了していないと判定すると（Ｓ２０においてＮＯ）、Ｓ２０の処理を繰り返す。例えば、ＣＰＵ１０１は、表示入力部１０３に表示されたピッキングリストにおいて、作業者がピッキングした商品の商品ＩＤ、又はピッキングした商品の商品ＩＤを含む行を選択した場合、選択された商品ＩＤの商品、又は選択された行に含まれる商品ＩＤの商品のピッキングが完了したと判定する。また、例えば、ＣＰＵ１０１は、作業者がピッキングした商品の商品ＩＤ、又はピッキングした商品の商品ＩＤを含む行を選択した場合、図８に示すように、ピッキングした商品に付された一次元コード又は二次元コードを読み取るための画面を表示入力部１０３に表示するようにしてもよい。ＣＰＵ１０１は、読み取った一次元コード又は二次元コードを解析し、商品ＩＤを取得し、取得した商品ＩＤが作業者によって選択された商品ＩＤ、又は作業者によって選択された行に含まれる商品ＩＤである場合、ピッキングが完了したと判定してもよい。
Ｓ２１において、ＣＰＵ１０１は、ピッキング完了処理を行う。より具体的に説明すると、ＣＰＵ１０１は、ピッキングが完了した商品にピッキングが完了した旨の完了情報を付加する。ＣＰＵ１０１は、ピッキングリストに含まれる商品のうち、完了情報が付加された商品は、表示対象から除外する。即ち、ＣＰＵ１０１は、ピッキングリストに含まれる商品のうち、完了情報が付加された商品以外の商品を表示する。このような処理を行うことにより、表示入力部１０３に表示されるピッキングリストは未処理のピッキングリストとなる。その結果、作業者は、表示入力部１０３に表示されているピッキングリストの先頭の商品から順に最寄りの棚からピッキングを行えばよい。ＣＰＵ１０１は、完了情報が付加された商品を表示対象から除外する以外にも、「済」という表示を行ったり文字色を変更して表示を行ったりするようにしてもよい。完了情報が付加された商品以外の商品は、処理が完了したと判定された対象物以外の対象物の一例である。
【００１５】
図９は、警告処理の一例を示すフローチャートである。
Ｓ３０において、ＣＰＵ１０１は、棚との距離が閾値以上になったか否かを判定する。ＣＰＵ１０１は、棚との距離が閾値以上になったと判定した場合（Ｓ３０においてＹＥＳ）、Ｓ３１に進み、棚との距離が閾値以上になっていないと判定した場合（Ｓ３０においてＮＯ）、Ｓ３０の処理を繰り返す。例えば、ＣＰＵ１０１は、上述したように、複数のビーコン信号を受信した場合、各ビーコン信号に対応する棚との距離をそれぞれ求め、その中で最も近い棚との距離が閾値以上になったか否かを判定する。
Ｓ３１において、ＣＰＵ１０１は、ピッキングリストに含まれる対象の棚の商品は全てピックアップしたか否かを判定する。ＣＰＵ１０１は、全てピックアップしたと判定した場合（Ｓ３１においてＹＥＳ）、図９に示す処理を終了し、全てピックアップしていないと判定した場合（Ｓ３１においてＮＯ）、Ｓ３２に進む。ＣＰＵ１０１は、ピッキングリストに含まれる対象の棚の全ての商品に完了情報が付加されているか否かに基づき、対象の棚の商品は全てピックアップしたか否かを判定する。
Ｓ３２において、ＣＰＵ１０１は、警告情報を出力する。例えば、ＣＰＵ１０１は、ピッキングし忘れている商品がある旨の情報を警告情報として表示入力部１０３に表示するようにしてもよい。図１０は、表示入力部１０３に表示された警告情報の一例を示す図である。図１０の例では、警告情報と共に、ピッキングし忘れている商品の商品ＩＤ、画像等が表示されている。また、ＣＰＵ１０１は、携帯端末１００に音声出力部がある場合は、音声出力部を介して音声でピッキングし忘れている商品がある旨の警告情報を出力するようにしてもよい。
【００１６】
本実施形態の処理によれば、作業者が倉庫内等において無駄な動きをすることなく作業を可能にする技術を提供することができる。
【００１７】
＜実施形態２＞
実施形態１では、携帯端末１００は、サーバ２００より未処理のピッキング対象の商品を含むピッキングリストを取得し、表示入力部１０３に表示した。しかし、携帯端末１００は、ログインユーザを識別するユーザＩＤを含む、ログインユーザが行う未処理のピッキング対象の商品を含むピッキングリストの取得要求をサーバ２００に対して送信するようにしてもよい。この場合、携帯端末１００は、ログインユーザ用のピッキングリストをサーバ２００より受信し、表示入力部１０３に表示する。
図１１の（Ａ）は、例えば、ログインユーザＡのピッキングリストが表示入力部１０３に表示された一例である。図１１の（Ｂ）は、例えば、ログインユーザＢのピッキングリストが表示入力部１０３に表示された一例である。
【００１８】
本実施形態の処理によれば、作業者各々が倉庫内等において無駄な動きをすることなく各々の作業を可能にする技術を提供することができる。
【００１９】
＜実施形態３＞
実施形態１及び実施形態２では、未処理のピッキング対象の商品のうち、携帯端末１００から距離が近い棚の商品から順にピッキングリストを並び替える形態を説明した。しかし、ピッキングリストを並び替えるのではなく、例えば、ＣＰＵ１０１は、携帯端末１００から最も距離が近いと推定される棚の商品のみを表示入力部１０３に表示するようにしてもよい。例えば、ＣＰＵ１０１は、ビーコン信号を一つ受信した場合においては、その受信したビーコン信号に含まれる棚ＩＤに対応する商品、又はビーコン信号を複数受信した場合においては、複数のビーコン信号の電波強度又は電波の減衰率に基づき距離が最も近い（ビーコン信号の電波強度が最も高い、電波の減衰率が最も低い等の）棚ＩＤに対応する商品のみのピッキングリストを表示入力部１０３に表示してもよい。作業者の移動に伴って携帯端末１００から最も距離が近いと推定される棚で行う作業についてのみ表示されるため、各棚に対する作業をより明確に作業者に伝えることができる。
【００２０】
本実施形態の処理によれば、作業者各々が倉庫内等において無駄な動きをすることなく各々の作業を可能にする技術を提供することができる。
【００２１】
以上、本発明の好ましい実施形態について詳述したが、本発明は係る特定の実施形態に限定されるものではない。図２に示した携帯端末１００のハードウェア構成は一例であり、携帯端末１００は他の通信Ｉ／Ｆを有していてもよいし、音声を出力する音声出力部を有していてもよい。また、表示部と入力部とが一体となった表示入力部１０３の構成ではなく、表示部と入力部とが別々の構成であってもよいし、スマートグラスのようなＨｅａｄ  Ｍｏｕｎｔｅｄ  Ｄｉｓｐｌａｙ型の携帯端末を用いてもよい。同様に、図３に示した携帯端末１００のソフトウェア構成は一例であり、他のソフトウェア構成等を含んでいてもよい。
また、上述した実施形態では、携帯端末１００は、ＩＤ発信機１１より棚ＩＤを含むビーコン信号を受信するように説明を行ったが、ＩＤ発信機１１よりＩＤ発信機１１を識別するＩＤを含むビーコン信号を受信するようにしてもよい。この場合、携帯端末１００は、ビーコン信号に含まれるＩＤ発信機１１を識別するＩＤに基づいて、ＩＤ発信機１１を識別するＩＤと棚ＩＤとを関連付けるテーブルより棚ＩＤを特定するようにしてもよい。
上述した実施形態では、倉庫内の棚にＩＤ発信機１１を設け、棚内に格納されている商品のピッキングを例に説明を行ったが、上述した処理は、倉庫内に限られず、屋外に保管されている対象物のピンキングに適用することもできる。また、必ずしも棚に対象物が格納されている必要はなく、所定エリアに対象物が平置きされているような場面でも同様に適用することができる。
更に、上述した実施形態では何れもピッキングの場面、つまり出荷作業を例に説明したが、出荷作業だけでなく、入荷作業時や棚卸作業時にも適用できる。入荷作業では、上述した実施形態の処理によれば、携帯端末１００と商品とを携えた作業者が商品を置くべき棚に近づくと携帯端末１００の表示入力部１０３には棚に置くべき商品をリスト化して表示させることができる。一方、棚卸作業では、上述した実施形態の処理によれば、在庫数を確認する商品のなかで、最寄りの棚で確認すべき商品をリストに表示させることができ、作業員が倉庫内等において無駄な動きをすることなく作業を可能にすることができる。
【符号の説明】
【００２２】
１１    ＩＤ発信機
１００  携帯端末
１０１  ＣＰＵ
２００  サーバ
【図１】
2018116533.tif 000003
【図２】
2018116533.tif 000004
【図３】
2018116533.tif 000005
【図４】
2018116533.tif 000006
【図５】
2018116533.tif 000007
【図６】
2018116533.tif 000008
【図７】
2018116533.tif 000009
【図８】
2018116533.tif 000010
【図９】
2018116533.tif 000011
【図１０】
2018116533.tif 000012
【図１１】
2018116533.tif 000013